(57)【要約】【課題】液晶パネルを支持するパネルホルダを、追加的部品を要することなく係止手段のみによって外装ハウジング内にガタ付きなく固定できるようにする。【解決手段】パネルホルダ２０を外装ハウジング３０内に取り付けるにあたって、パネルホルダ２０の側枠２１に形成された係止突起２４と、外装ハウジング３０の側枠３２に形成された係止孔３４とからなる係止手段を用いる液晶表示装置において、パネルホルダ２０の側枠２１に上記係止突起２４を備えて部分的に弾性変形可能な弾性変形部２１１を形成し、この弾性変形部２１１に、パネルホルダ２０の側枠外壁面２１ａより突出していて、係止突起２４が係止孔３４に嵌着された際に、外装ハウジング３０の内壁面と当接する押し当て部２５を設ける。【選択図】  図１
2004302290.tif 000002
【特許請求の範囲】
【請求項１】
液晶パネルと、上記液晶パネルをその裏面側から支持する合成樹脂製のパネルホルダと、上記パネルホルダとともに上記液晶パネルが収納される外装ハウジングと、上記パネルホルダを上記外装ハウジング内に係止する係止手段とを含み、上記係止手段が、上記パネルホルダの側枠に形成された係止突起と、上記外装ハウジングの上記係止突起と対向する位置に形成された係止孔とからなる液晶表示装置において、
上記パネルホルダの側枠には、上記係止突起を備えて部分的に弾性変形可能とされた弾性変形部が設けられ、上記弾性変形部には、上記パネルホルダの側枠外壁面より突出していて、上記係止突起が上記係止孔に嵌着された際に上記外装ハウジングの内壁面と当接する押し当て部が設けられていることを特徴とする液晶表示装置。
【請求項２】
上記押し当て部の上記パネルホルダの側枠外壁面からの突出高さは、上記パネルホルダと上記外装ハウジングとの間に生ずるクリアランス分よりも大きく設定されている請求項１に記載の液晶表示装置。
【請求項３】
上記係止突起を有する弾性変形部が、少なくとも上記パネルホルダの対向する２辺において左右対称的に配置され、かつ、その各々に設けられる上記押し当て部の突出高さが同一である請求項１または２に記載の液晶表示装置。
【請求項４】
上記弾性変形部が、上記パネルホルダの側枠に所定の間隔で切り込まれた一対の切溝にて形成されており、上記弾性変形部は、その内壁面側が削られて肉薄とされている請求項１、２または３に記載の液晶表示装置。
【請求項５】
上記弾性変形部が、上記パネルホルダの側枠の内壁面と外壁面との間で上端面側もしくは下端面側から上記側枠の延在方向に沿って切り込まれたスリット孔により形成されている請求項１、２または３に記載の液晶表示装置。
【発明の詳細な説明】
【０００１】
【発明の属する技術分野】
本発明は液晶表示装置に関し、さらに詳しく言えば、液晶パネルを支持するパネルホルダと、パネルホルダが収納される外装ハウジングとの係止構造に関するものである。
【０００２】
【従来の技術】
液晶表示装置、とりわけ携帯機器用の液晶表示装置は、近年ますます軽量・薄型の要請が強くなってきている。このため、液晶パネル自体の薄型化はもとより、それを支持するパネルホルダや外装ハウジングなどにも軽量・薄型化が図られている。
【０００３】
また、透過型もしくは半透過型の液晶パネルは、その背面側（反観察面側）にバックライトを備えている。バックライトは、光源の配置の仕方によって直下型とサイドライト型とに分けられるが、サイドライト型は直下型に比べて薄型化が可能であるため、特に携帯機器用などの液晶表示装置に好ましく採用されている。
【０００４】
図４は、サイドライト型のバックライトを備える液晶表示装置の一例を概略的に示す分解斜視図である。液晶パネル１０を表示装置として製品化するにあたって、液晶パネル１０には、いくつかの周辺部品が取り付けられる。
【０００５】
この例において、液晶パネル１０は、端子部１１に液晶ドライバーであるＩＣもしくはＬＳＩなどのベアチップ１１ａが実装されたＣＯＧ（ｃｈｉｐ  ｏｎ  ｇｌａｓｓ）型で、その端子部１１には、フレキシブル基板１４を介して液晶駆動用の制御回路基板１５が接続される。
【０００６】
組み立てにあたってパネルホルダ２０が用いられる。パネルホルダ２０は、矩形状の側枠２１を有する合成樹脂からなり、その両面に収納部を備えている。液晶パネル１０は、その裏面１２側を内側としてパネルホルダ２０の一方の収納部（図４において下方の収納部）内に収納される。
【０００７】
パネルホルダ２０の他方の収納部（図４において上方の収納部）内には、液晶パネル１０に対して光を照射するバックライト２２が収納される。なお、パネルホルダ２０の側枠２１の１辺には、バックライト２２の光源収納部２６が設けられている。
【０００８】
パネルホルダ２０は、外装ハウジング３０内に装着される。この場合、外装ハウジング３０は装置全体に剛性を持たせるため、マグネシウム合金などの金属材からなり、底板３１とその４辺に配置された側枠３２とを含む扁平な箱体として形成されている。
【０００９】
外装ハウジング３０は、パネルホルダ２０の液晶パネル１０の表示面を除く外側面側を覆うように取り付けられるが、パネルホルダ２０と外装ハウジング３０とには、脱落防止用の係止手段が設けられている。係止手段は互いに対向する側枠２１と側枠３２との間に設けられており、この例において、長辺側の２辺に２つずつ配置されている。
【００１０】
その１つを図５の斜視図により説明すると、係止手段は、パネルホルダ２０の側枠２１に形成された係止突起２４と、外装ハウジング３０の側枠３２に形成された係止孔３４との組み合わせからなり、係止突起２４にはパネルホルダ２０を外装ハウジング３０に向けて押し込む方向に対して順テーパとなる傾斜面２４１が形成されている。
【００１１】
これによれば、パネルホルダ２０を外装ハウジング３０内に強制的に押し込むことにより、係止突起２４が図５の矢印に示すように外装ハウジング３０の側枠３２を乗り越えて係止孔３４内に嵌合する。
【００１２】
パネルホルダ２０を外装ハウジング３０内に取り付けたのち、フレキシブル基板１４をほぼ１８０゜折り曲げて制御回路基板１５を外装ハウジング３０の底板３１上に配置し両面接着テープなどで固定する。なお、このときの位置決めは、制御回路基板１５に穿設されている位置決め孔１５１と、外装ハウジング３０の底板３１に設けられている位置決めピン３５とにより行われる。
【００１３】
【発明が解決しようとする課題】
上記係止手段（係止突起２４と係止孔３４との組み合わせ）によれば、パネルホルダ２０が外装ハウジング３０内に確実に保持されるが、パネルホルダ２０にガタつきが生じてしまうという問題がある。
【００１４】
すなわち、パネルホルダ２０および外装ハウジング３０は、ともに製造上避けられない寸法公差を持ち、また、組み込みクリアランスや熱膨張係数の差などにより両者の間に隙間ができて、外部衝撃力などによりパネルホルダ２０が動いてしまうことがある。
【００１５】
そうすると、制御回路基板１５側は両面接着テープなどで外装ハウジング３０に固定されているため、液晶パネル１０と制御回路基板１５との間に介装されているフレキシブル基板１４に過大な応力がかかり、その接続部分が断線してしまうおそれが生ずる。
【００１６】
これを防止するには、パネルホルダ２０を外装ハウジング３０に例えば両面粘着テープで固定して、パネルホルダ２０のガタ付きを封じればよい。しかしながら、両面粘着テープを貼ることは、その分、部品コストおよび作業コストがかかるため、コスト的にも生産性の面でも好ましくない。
【００１７】
したがって、本発明の課題は、液晶パネルを支持するパネルホルダを、何らの追加的部品を要することなく、上記した係止手段のみによって外装ハウジング内に確実に固定し得るようにすることにある。
【００１８】
【発明が解決しようとする課題】
上記課題を解決するため、本発明は、液晶パネルと、液晶パネルと、上記液晶パネルをその裏面側から支持する合成樹脂製のパネルホルダと、上記パネルホルダとともに上記液晶パネルが収納される外装ハウジングと、上記パネルホルダを上記外装ハウジング内に係止する係止手段とを含み、上記係止手段が、上記パネルホルダの側枠に形成された係止突起と、上記外装ハウジングの上記係止突起と対向する位置に形成された係止孔とからなる液晶表示装置において、上記パネルホルダの側枠には、上記係止突起を備えて部分的に弾性変形可能とされた弾性変形部が設けられ、上記弾性変形部には、上記パネルホルダの側枠外壁面より突出していて、上記係止突起が上記係止孔に嵌着された際に上記外装ハウジングの内壁面と当接する押し当て部が設けられていることを特徴としている。
【００１９】
この構成によれば、パネルホルダの側枠外壁面より突出している押し当て部が外装ハウジングに対して弾性的に当接するため、仮にパネルホルダと外装ハウジングとの間に生じている隙間が、寸法公差範囲内のきわめてわずかなものであったとしても、そのきわめてわずかな隙間に起因するパネルホルダのガタ付きをも封じることができるが、現実的な上記課題を解決するうえでは、押し当て部のパネルホルダの側枠外壁面からの突出高さは、パネルホルダと外装ハウジングとの間に生ずるクリアランス分よりも大きく設定されればよい。
【００２０】
また、係止突起を有する弾性変形部が、少なくともパネルホルダの対向する２辺において左右対称的に配置され、かつ、その各々に設けられる押し当て部の突出高さが同一であることが好ましく、これによれば、パネルホルダに支持されている液晶パネルを外装ハウジングの中心に位置させることができる。
【００２１】
パネルホルダの側枠の一部分を弾性変形部とするには、例えば同側枠に所定の間隔をもって一対の切溝を形成する方法と、パネルホルダの側枠の内壁面と外壁面との間で上端面側もしくは下端面側から上記側枠の延在方向に沿って例えば矩形状のスリット孔を形成する方法とがあるが、前者の切溝を形成する方法による場合には、弾性変形部をその内壁面側を削った肉薄状とすることが好ましく、これによれば、外装ハウジング側から押し戻される弾性変形部の液晶パネルに対する当接を防止することができる。
【００２２】
【発明の実施の形態】
次に、図１ないし図３を参照して、本発明の実施形態について説明する。図１は本発明の第１実施形態を示す要部分解斜視図、図２は同第１実施形態の組み立て状態での要部断面図、図３は本発明の第２実施形態を示す要部斜視図である。なお、この実施形態においてパネルホルダ以外の構成は、先に説明した従来例と同様であってよく、その詳細な説明は省略する。
【００２３】
図１に示すように、本発明においても、パネルホルダ２０を外装ハウジング３０内に固定する係止手段として、パネルホルダ２０の側枠２１側に形成される係止突起２４と、外装ハウジング３０の側枠３０側に形成される係止孔３４とを備えている。
【００２４】
パネルホルダ２０は、合成樹脂製の成形品であるが、外装ハウジング３０については、マグネシウム合金などの金属材もしくは合成樹脂材のいずれであってもよい。なお、図１は先に説明した従来例の図５に対応しているが、その上下の位置関係は入れ替わっている。
【００２５】
係止突起２４は、その下面側にパネルホルダ２０を外装ハウジング３０に向けて押し込む方向に対して順テーパとなる傾斜面２４１を備えているが、上面側は側枠２１に対してほぼ垂直な段差面２４２として形成されている。
【００２６】
係止突起２４を含む側枠２１の一部分を容易に撓むことができる弾性変形部２１１とするため、この例では、係止突起２４の両側の位置に側枠２１の上端面側から下端面に向けて所定深さに切り込まれた一対の切溝２１２，２１２が設けられている。
【００２７】
弾性変形部２１１には、パネルホルダ２０の側枠外壁面２１ａより突出していて、係止突起２４が外装ハウジング３０側の係止孔３４に嵌着された際に、外装ハウジング３０の側枠３２の内壁面に対して当接する押し当て部２５が形成されている。
【００２８】
この例において、押し当て部２５は係止突起２４の段差面２４２から側枠２１の上端面にかけて設けられているが、例えば係止突起２４の片側もしくは両側の側部に設けられてもよい。
【００２９】
また、押し当て部２５の側枠外壁面２１ａからの突出高さは、係止突起２４の突出高さよりも低いことを条件として任意に設定できるが、パネルホルダ２０と外装ハウジング３０との間に生ずるクリアランス分よりも大きく設定されることが好ましい。
【００３０】
この押し当て部２５を設けることに伴って、図１の破線で示すように、弾性変形部２１１の内壁面２１１ａ側を削って弾性変形部２１１を他の側枠部分よりも肉薄状とすることが好ましい。
【００３１】
その内壁面２１１ａ側の削り量は、弾性変形部２１１が押し当て部２５を介して外装ハウジング３０側から押し戻される際、その内壁面２１１ａが側枠２１の内壁面よりも内側に出っ張らないようにするため、押し当て部２５の突出高さ相当もしくはそれ以上であることが好ましい。
【００３２】
図２を参照して、組み立て手順の一例について説明する。パネルホルダ２０内にバックライト２０を収納する。図２にはその構成要素としての導光板２２１と反射シート２２２のみを示す。液晶パネル１０をその裏面側がバックライト２０と対向するようにしてパネルホルダ２０内に収納する。
【００３３】
そして、パネルホルダ２０を外装ハウジング３０内に押し込むようにして入れる。このとき、弾性変形部２１１が内側に撓みことにより、係止突起２４が外装ハウジング３０の側枠３２を乗り越えて係止孔３４内に嵌合するとともに、押し当て部２５が上記側枠３２の内壁面に当接する。
【００３４】
弾性変形部２１１は、押し当て部２５を介して外装ハウジング３０の側枠３２によりパネルホルダ２０内に向けて押されるため、その反作用力により押し当て部２５が上記側枠３２の内壁面に対して隙間なく弾性的に接触するため、パネルホルダ２０が外装ハウジング３０内でガタ付くことはない。
【００３５】
また、弾性変形部２１１を上記したように薄肉状に形成することにより、弾性変形部２１１が外装ハウジング３０側より押し戻されたとしても、その内壁面２１１ａが液晶パネル１０の端面に接触することが防止され、液晶パネル１０に機械的なストレスが加えられることがない。
【００３６】
なお、この係止突起２４を含む弾性変形部２１１は、先の図４に示すように、パネルホルダ２０の対向する２辺において左右対称的に配置されることが好ましいが、その各々に設けられる押し当て部２５の突出高さを同一とすることにより、液晶パネル１０を外装ハウジング３０の中心に位置させることができる。
【００３７】
次に、本発明の第２実施形態として、係止突起２４を含む側枠２１の一部分を容易に撓むことができる弾性変形部２１１とするため、図３に示すように、係止突起２４の背面側に例えば矩形状のスリット孔２１３を形成するようにしてもよい。
【００３８】
このスリット孔２１３は、パネルホルダ２０の側枠２１の内壁面と外壁面との間で上端面側もしくは下端面側から所定の深さに穿設されるが、側枠２１の上端面から下端面にかけて貫通する孔としてもよい。
【００３９】
このスリット孔２１３による弾性変形部２１１は、内側に撓んだ場合でも液晶パネル１０の端面と接触することがないため、上記第１実施形態の弾性変形部２１１のように内壁面２１１ａ側を削って薄肉化する必要がなく、また、薄肉化する場合に比べて側枠としての機械的強度も強くできる。
【００４０】
なお、上記第１実施形態および第２実施形態の変形例として、切溝２１２やスリット孔２１３によることなく、単に側枠２１の内壁面側を削って薄肉化して弾性変形部としてもよい。
【００４１】
上記実施形態ではバックライトを有する場合について説明したが、本発明にとってバックライトは必須の構成要件ではない。また、外装ハウジングに形成される係止孔をほぼ四角形状としているがこれに限定されるものではない。係止孔および係止突起の形状、設ける数などは任意に選択されてよい。
【００４２】
【発明の効果】
以上説明したように、本発明によれば、液晶パネルを支持する合成樹脂製のパネルホルダを外装ハウジング内に取り付けるにあたって、パネルホルダの側枠の一部分に設けられている弾性変形部に形成された係止突起と、外装ハウジングの側枠に形成された係止孔とからなる係止手段を用いる液晶表示装置において、パネルホルダ側の弾性変形部に、パネルホルダの側枠外壁面より突出していて、係止突起が係止孔に嵌着された際に、外装ハウジングの内壁面と当接する押し当て部を設けたことにより、両面接着テープなどの追加的部品を要することなく、係止手段のみによってパネルホルダを外装ハウジング内に確実に固定することができる。
【図面の簡単な説明】
【図１】本発明の第１実施形態を示す要部分解斜視図。
【図２】上記第１実施形態の組み立て状態を示す概略的な断面図。
【図３】本発明の第２実施形態を示す要部斜視図。
【図４】従来の液晶表示装置を分解して示す概略的斜視図。
【図５】上記従来例で採用されている係止手段を拡大して示す分解斜視図。
【符号の説明】
１０  液晶パネル
１４  フレキシブル基板
１５  制御回路基板
２０  パネルホルダ
２１  側枠
２１ａ  側枠外壁面
２１１  弾性変形部
２１１ａ  内壁面
２１２  切溝
２１３  スリット孔
２４  係止突起
２４１  傾斜面
２４２  段差面
２５  押し当て部
３０  外装ハウジング
３１  底板
３２  側枠
３４  係止孔
【図１】
2004302290.tif 000003
【図２】
2004302290.tif 000004
【図３】
2004302290.tif 000005
【図４】
2004302290.tif 000006
【図５】
2004302290.tif 000007